(57)【要約】【課題】搭載された複数のチューナを有効的に活用すると共に、ユーザの要望に適ったコンテンツのみを記憶する。【解決手段】複数のチューナが搭載された情報処理装置であって、複数のチューナのうち、一のチューナを用いて受信可能な情報を出力する出力手段と、複数のチューナのうち、一のチューナを除く他の複数のチューナを用いて受信される複数の情報について、ネットワーク経由でサーバ装置に送信された複数の情報に関連する関連コメントの数を集計し、他の複数のチューナに受信させる複数の情報として、関連コメントの最も多いものから降順に選択する情報選択手段と、情報選択手段により選択され、他の複数のチューナを用いて受信された情報を録画する録画手段と、を含む。【選択図】図３
2014236333.tif 000002
【特許請求の範囲】
【請求項１】
複数のチューナが搭載された情報処理装置であって、
前記複数のチューナのうち、一のチューナを用いて受信される情報を出力する出力手段と、
前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する情報選択手段と、
前記情報選択手段により選択され、前記他の複数のチューナを用いて受信された情報を録画する録画手段と、
を含むことを特徴とする情報処理装置。
【請求項２】
前記情報選択手段の集計する関連コメントが、前記複数の情報を視聴するユーザによって作成された反応コメントであることを特徴とする請求項１に記載の情報処理装置。
【請求項３】
前記情報選択手段の集計する関連コメントが、前記複数の情報を視聴するユーザによって作成された反応コメントを閲覧するユーザによって作成される応答コメントであることを特徴とする請求項１に記載の情報処理装置。
【請求項４】
前記一のチューナを用いて受信される情報を変更する指示であるザッピングが検出されると、前記一のチューナを用いて受信される情報を、前記情報選択手段の選択する情報に変更することを特徴とする請求項１から３の何れか１項に記載の情報処理装置。
【請求項５】
複数のチューナが搭載された情報処理装置の制御方法であって、
出力手段が、前記複数のチューナのうち、一のチューナを用いて受信される情報を出力する工程と、
前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する工程と、
前記選択する工程により選択され、前記他の複数のチューナを用いて受信された情報を録画する工程と、
を含むことを特徴とする制御方法。
【請求項６】
複数のチューナが搭載された情報処理装置のコンピュータに、
出力手段が、前記複数のチューナのうち、一のチューナを用いて受信される情報を出力する処理と、
前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する処理と、
前記選択する処理により選択され、前記他の複数のチューナを用いて受信された情報を録画する処理と、
を実現させるためのプログラム。
【発明の詳細な説明】
【技術分野】
【０００１】
本発明は、情報処理装置、制御方法、及びプログラムに関する。
【背景技術】
【０００２】
近年、地上デジタル放送サービスや、ＢＳ（Broadcasting Satellite）、ＣＳ（Communications Satellite）デジタル放送サービスの開始に伴い、テレビの多チャンネル化が目覚ましい。そして、これらすべての放送サービスに対応することが可能な、テレビジョン受信機、録画再生機、及びパーソナルコンピュータに代表される情報処理装置も普及している。
【０００３】
ユーザにとって興味関心が高い複数のテレビ番組が同じ時間帯に複数の放送局から放送される場合、あるテレビ番組についてはそのまま視聴すると共に、裏番組については後日視聴するために録画しておくのであるが、そのためには、上記放送サービスを同一時間帯に受信可能な複数のチューナを搭載している必要がある。
【０００４】
ユーザは、このような放送サービスによって放送される番組、放送されたコンテンツを録画した番組、又はインターネット上のサーバに不特定多数のユーザが投稿し、共有し、視聴できる動画サービス等（以下、これらを纏めて「コンテンツ」ともいう。）といった、多数の選択肢の中から、自分の興味関心が高いカテゴリに属するコンテンツの視聴を行うことが可能である。
【０００５】
また、あるチャンネルのテレビ番組を視聴しているとき、自分が視聴しているテレビ番組が面白くなく、他の放送局で、同じ時間帯に何か面白そうな番組が放送されているか否かを調べるために、チャンネルをザッピングしたり、放送局から電波の隙間を使って送信される電子番組ガイド（ＥＰＧ：Electronic Program Guide）を閲覧したりすることがある。そして、たまたまチャンネルを合わせた番組が面白く、最初からこの番組を観ておけば良かった、あるいは録画しておけば良かったと後悔することがある。
【０００６】
特許文献１には、複数のチューナで受信された複数のテレビジョン放送番組を、それぞれ所要時間分をＨＤＤ（Hard Disk Drive）等にエンドレスで記憶しておき、指定した場所に遡ってＨＤＤの記録を再生することにより、チャンネルを切り換えて番組を観ているうちに、前に遡って観てみたい番組があった場合に、所要時間以内であればどこからでも再生して観ることができる多チャンネル記録再生装置が開示されている。
【０００７】
また、特許文献２には、多チャンネルの番組等、複数種類の信号を記憶しておき、この複数種類の信号の中の１つの種類の信号を再生しているときに、他の種類の信号の再生が指示されたとき、他の種類の信号の再生が指示されたときよりも前の位置に遡って再生する記録再生装置が開示されている。
【先行技術文献】
【特許文献】
【０００８】
【特許文献１】特開平０９−００９１９３号公報
【特許文献２】特開２００６−２２２７０５号公報
【発明の概要】
【発明が解決しようとする課題】
【０００９】
しかしながら、上記したチャンネルをザッピングしたり、電子番組ガイド（ＥＰＧ）を閲覧したりすることにより、ユーザが興味関心を抱くカテゴリに属する番組を素早く的確に探すことは、多チャンネル化が進展した今日においては、非常に困難な状況になりつつある。
【００１０】
また、特許文献１又は特許文献２に記載された発明では、搭載された複数のチューナすべてを用いて受信される複数のテレビ番組を、予め漏れなく記憶することとしているので、記憶されるテレビ番組によっては、ユーザの興味関心が低いカテゴリに属するものも存在し、必ずしもユーザの要望に応えるものとはなっていないという問題があった。
【００１１】
さらに、必要以上にチューナを稼働させることによって、消費電力が無駄に消費されるばかりか、多大な容量の記憶媒体を必要とすることによって、機器全体の大きさや重量が嵩むといった問題もあった。
【００１２】
そこで本発明は、上記従来の問題点に鑑みてなされたものであって、搭載された複数のチューナを有効的に活用すると共に、ユーザの要望に適ったコンテンツのみを記憶することが可能な情報処理装置、制御方法、及びプログラムを提供することを目的とする。
【課題を解決するための手段】
【００１３】
上記課題を解決するため、請求項１に記載の本発明における情報処理装置は、複数のチューナが搭載された情報処理装置であって、前記複数のチューナのうち、一のチューナを用いて受信される情報を出力する出力手段と、前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する情報選択手段と、前記情報選択手段により選択され、前記他の複数のチューナを用いて受信された情報を録画する録画手段と、を含むことを特徴とする。
【００１４】
また、本発明における情報処理装置は、請求項１に記載の情報処理装置において、前記情報選択手段の集計する関連コメントが、前記複数の情報を視聴するユーザによって作成された反応コメントであることを特徴とする。
【００１５】
さらに、本発明における情報処理装置は、請求項１に記載の情報処理装置において、前記情報選択手段の集計する関連コメントが、前記複数の情報を視聴するユーザによって作成された反応コメントを閲覧するユーザによって作成される応答コメントであることを特徴とする。
【００１６】
また、本発明における情報処理装置は、請求項１から３の何れか１項に記載の情報処理装置において、前記一のチューナを用いて受信される情報を変更する指示であるザッピングが検出されると、前記一のチューナを用いて受信される情報を、前記情報選択手段の選択する情報に変更することを特徴とする。
【００１７】
そして、上記課題を解決するため、請求項５に記載の本発明における情報処理装置の制御方法は、複数のチューナが搭載された情報処理装置の制御方法であって、出力手段が、前記複数のチューナのうち、一のチューナを用いて受信される情報を出力する工程と、前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する工程と、前記選択する工程により選択され、前記他の複数のチューナを用いて受信された情報を録画する工程と、を含むことを特徴とする。
【００１８】
また、上記課題を解決するため、請求項６に記載の本発明におけるプログラムは、複数のチューナが搭載された情報処理装置のコンピュータに、出力手段が、前記複数のチューナのうち、一のチューナを用いて受信される情報を出力する処理と、前記複数のチューナのうち、前記一のチューナを除く他の複数のチューナを用いて受信可能な複数の情報について、ネットワーク経由でサーバ装置に送信された前記複数の情報に関連する関連コメントの数を集計し、前記他の複数のチューナに受信させる前記複数の情報として、前記関連コメントの最も多いものから降順に選択する処理と、前記選択する処理により選択され、前記他の複数のチューナを用いて受信された情報を録画する処理と、を実現させることを特徴とする。
【発明の効果】
【００１９】
本発明によれば、搭載された複数のチューナを有効的に活用すると共に、ユーザの要望に適ったコンテンツのみを記憶することが可能な情報処理装置、制御方法、及びプログラムが得られる。
【図面の簡単な説明】
【００２０】
【図１】本発明の実施形態における情報処理装置を含む情報処理システムの全体構成を示す構成図である。
【図２】本発明の実施形態における情報処理装置の構成について説明する概略ブロック図である。
【図３】本発明の実施形態における情報処理装置の構成について説明する機能ブロック図である。
【図４】本発明の実施形態における情報処理装置の動作について説明するフローチャートである。
【発明を実施するための形態】
【００２１】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、複数のチューナが搭載された情報処理装置であって、複数のチューナのうち、一のチューナを用いて受信される情報を出力する出力手段と、複数のチューナのうち、一のチューナを除く他の複数のチューナを用いて受信可能な複数の情報について、ネットワーク経由でサーバ装置に送信された複数の情報に関連する関連コメントの数を集計し、他の複数のチューナに受信させる複数の情報として、関連コメントの最も多いものから降順に選択する情報選択手段と、情報選択手段により選択され、他の複数のチューナを用いて受信された情報を録画する録画手段と、を含むことにより、搭載された複数のチューナを有効的に活用すると共に、ユーザの要望に適ったコンテンツのみを記憶することができるのである。
【００２２】
まず、図１を用いて本発明の実施形態における情報処理装置を含む情報処理システムの全体構成について説明する。図１は、本発明の実施形態における情報処理装置を含む情報処理システムの全体構成を示す構成図である。図１を参照すると、本発明の実施形態における情報処理装置１００を含む情報処理システム１０は、例えば、パーソナルコンピュータ（ＰＣ）を代表とする情報処理装置１００、２００、３００、及び携帯情報端末４００は、一般公衆が広く利用可能なネットワーク網であるインターネット６００を介してサーバ７００に接続され、互いにデータのやり取りを行っている。なお、公衆ネットワーク網６００に代えて、所謂ストレージサーバや自社サーバのようなものを用いても良い。
【００２３】
また、情報処理装置１００、２００、３００、及び携帯情報端末４００は、サーバ７００に格納されている動画コンテンツ等を、ネットワーク網６００を介してダウンロードすることができる。さらに、情報処理装置１００、及び２００は、テレビ局等の放送局５００から送信される放送波を受信して、テレビ番組等を視聴することもできる。なお、情報処理装置には、ＰＣ１００、２００、３００以外にスマートフォン等の携帯情報端末４００も含まれることは勿論である。
【００２４】
次に、図２を参照して、本発明に実施形態における情報処理装置の構成について説明する。図２は、本発明の実施形態における情報処理装置の構成について説明する概略ブロック図である。
【００２５】
図２において、本発明の実施形態における情報処理装置（以下、パーソナルコンピュータ（ＰＣ）ともいう。）１００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９とから構成される。
【００２６】
ＴＶチューナ部２０１は、地上デジタル、ＢＳ、及びＣＳ放送をアンテナから受信し復調するものである。ネットワーク接続部２０５は、インターネットに代表されるネットワーク網６００（図１）に接続され、ネットワーク網６００とのインタフェースを図るものである。ＣＰＵ２０６は、ＰＣ１００全体の動作を制御するものであり、ＲＯＭ２０２に格納された制御プログラムをロードし、ＰＣ１００の動作によって得られた様々なデータをＲＡＭ２０３に展開するものである。ＨＤＤ２０４は、ＰＣ１００のアプリケーションソフトウェアを格納したり、ＴＶチューナ部２０１によって受信されたテレビ番組を録画したりするものである。
【００２７】
表示部２０７は、ＬＣＤ（Liquid Crystal Display）等で構成される表示画面であり、ＰＣ１００によって実行されたアプリケーションの結果やＴＶチューナ部２０１によって受信されたテレビ番組を表示するものである。入力部２０８は、キーボード、マウス、タッチパネル等、ユーザがＰＣ１００に対して指示を与えるものである。そして、電源部２０９は、ＰＣ１００に対してＡＣ（Alternative Current：交流）又はＤＣ（Direct Current：直流）電源を与えるものである。
【００２８】
次に、図３を参照して、本発明に実施形態における情報処理装置の構成について説明する。図３は、本発明の実施形態における情報処理装置の構成について説明する機能ブロック図である。図３において、情報処理装置１００は、放送局５００（図１）から送信される放送波を受信するチューナ部３０１、３０２、３０３、及び３０４と、チューナ部３０１、３０２、３０３、及び３０４により復調された番組（コンテンツ）を記録・再生するコンテンツ記録再生部３０５と、放送局５００から送信される電波の隙間を使って送信される電子番組ガイド（ＥＰＧ：Electronic Program Guide）を管理するＥＰＧ情報管理部３１１と、液晶（ＬＣＤ：Liquid Crystal Display）等のディスプレイ３１２に番組を表示する動画表示処理部３０６と、を含んで構成されている。なお、図３では、放送局５００から送信される放送波を受信するチューナ部の数を４個としているが、このチューナ部の個数は任意の値とすることが可能である。
【００２９】
さらに、情報処理装置１００は、サーバ７００やＷｅｂ掲示板にネットワーク網６００（図１）を介して接続すると共に、サーバ７００やＷｅｂ掲示板に蓄積された後述する関連コメントを取得するためのネットワーク接続処理部３１０と、ネットワーク接続処理部３１０によって取得された関連コメントを記録する関連コメント取得記録部３０９と、動画表示処理部３０６によって処理される動画情報に基づいて映像を解析する映像解析処理部３０７と、映像解析処理部３０７によって解析された映像に関連する関連コメントを、関連コメント取得記録部３０９から取得すると共に、ディスプレイ３１２に、関連コメントの数が多い順に番組を表示するための材料となる関連コメント数を出力する関連コメント出力部３０８と、を含んで構成されている。
【００３０】
さらに、関連コメント取得記録部３０９は、情報処理装置１００を用いて番組を視聴しているユーザによって投稿されたコメントのみならず、現在番組を視聴してないが、twitter（ツイッター）（登録商標）に投稿されたコメントや、Ｗｅｂ掲示板に投稿されたコメントを、ＥＰＧ情報管理部３１１から入力される電子番組ガイド情報に基づいて放送局毎に仕分処理すると共に、所定時間おきに放送局毎に分けて集計処理する。
【００３１】
次に、本発明の実施形態における情報処理装置の動作について説明する。図４は、本発明の実施形態における情報処理装置の動作について説明するフローチャートである。なお、このフローチャートは、ユーザが視聴しているチャンネル以外のチャンネルに対するtwitter（ツイッター）のつぶやき量（Tweet数）（関連コメントの数）が多い番組、すなわち、盛り上がり度が高い上位３番組を録画する場合の動作である。
【００３２】
図４において、ステップ（以下、「Ｓ」という。）５０１において、ユーザがコンテンツ視聴中であるか否かが判断される。コンテンツ視聴中でないとき（Ｓ４０１：ＮＯ）は、そのまま処理を終了する。コンテンツ視聴中であるとき（Ｓ４０１：ＹＥＳ）は、Ｓ４０２において、ユーザが視聴しているコンテンツ以外のコンテンツに対する関連コメントの数が多いコンテンツが存在するか否かが判断される。
【００３３】
具体的には、インターネット６００等のネットワーク網を介してサーバ７００（図１）に送信されたユーザが視聴しているチャンネル以外のチャンネルに関連するtwitter（ツイッター）のつぶやき量（Tweet数）（反応コメント数）が多い番組が存在するか否かが判断される。
【００３４】
このように、取得された関連コメントに基づいて取得されたコンテンツ、すなわち、ユーザが視聴しているチャンネル以外のチャンネルに対するtwitter（ツイッター）のつぶやき量（Tweet数）（反応コメントの数）が多い番組、すなわち、盛り上がり度が高い上位３番組のコンテンツを集計処理し、このようなコンテンツが存在するか否かをＳ４０２で判断するようにするのである。
【００３５】
なお、上記した説明では、ユーザが視聴しているコンテンツ以外のコンテンツに対する関連コメントの数が多いコンテンツとして、ユーザが視聴しているチャンネル以外のチャンネルに関連するtwitter（ツイッター）のつぶやき量（Tweet数）（反応コメント数）が多い番組の存在の有無を判断しているが、それ以外に、ユーザが視聴しているチャンネル以外のチャンネルを視聴せずに、ユーザが視聴しているチャンネル以外のチャンネルを視聴する他のユーザによって作成されるtwitter（ツイッター）のつぶやき（反応コメント）を閲覧する他のユーザによって作成されるtwitter（ツイッター）のつぶやき量（Tweet数）（応答コメントの数）が多い番組の存在の有無、又は、反応コメントの数と、当該反応コメントを閲覧する他のユーザによって作成されるtwitter（ツイッター）のつぶやき量（Tweet数）（応答コメントの数）の合計数が多いコンテンツの有無を判断するようにしても良い。
【００３６】
ここで、関連コメントの数が変化したか否かも検出できるようにしておいても良い。この関連コメントの数の変化とは、この場合、ユーザが視聴しているチャンネル以外のチャンネルに対するtwitter（ツイッター）のつぶやき量（Tweet数）（反応コメントの数）の変化である。ここで、twitter（ツイッター）のつぶやき量（Tweet数）の変化について若干説明する。
【００３７】
twitter（ツイッター）のつぶやき量（Tweet数）の変化は、技術的な制約は勿論のこと、ユーザが視聴していて違和感を抱かないように配慮したタイミングとすることが重要である。例えば、つぶやき量（Tweet数）で画面を切り換える場合を例にすると、つぶやき量（Tweet数）を把握するために、図示しないtwitter（ツイッター）サーバにアクセスする必要がある。そして、一定の時間内にtwitter（ツイッター）サーバにアクセスして良い回数の上限は定められており、技術的な制約を受ける。そのため、例えば、５分単位でつぶやき量（Tweet数）を集計することが考えられる。
【００３８】
例えば、画面が１秒毎に切り換わると、ユーザはかなりの違和感を覚えると考えられるが、５分毎ならユーザは違和感を殆ど覚えないものと考えられるので、例えば、５分単位で、画面に表示される番組（画面表示）が切り換わるようにすれば良い。
【００３９】
Ｓ４０２において、ユーザが視聴しているコンテンツ以外のコンテンツに対する関連コメントの数が多いコンテンツが存在しないとき（Ｓ４０２：ＮＯ）は、Ｓ４１０へ移行し、ユーザが視聴しているコンテンツが継続してディスプレイ３１２（図３）に表示される。ユーザが視聴しているコンテンツ以外のコンテンツに対する関連コメントの数が多いコンテンツが存在するとき（Ｓ４０２：ＹＥＳ）は、Ｓ４０３へ移行し、当該関連コメントの数が多いコンテンツが放送開始時刻から録画される。この録画処理について若干説明する。
【００４０】
この録画処理は、当該コンテンツが放送開始時刻からある程度時間が経過したとしても放送開始冒頭から遡って録画されるものであり、この遡り時間は、任意の時間に設定可能である。例えば、初期設定では過去６０分まで遡ることが可能であり、設定によって１分から９０分までの範囲で、１分単位で変更可能であるとしても良い。そして、この録画処理は、いわゆる一般的な意味でいう録画とは異なる一時的な録画である。例えば、６０分まで遡る設定の場合には、６０分よりも前の録画データは自動的に廃棄されるようにしても良い。このように、通常の録画とは異なる概念であるので、遡る一時的な録画機能を、タイムシフト機能等と呼び、録画データは、タイムシフトバッファに格納されるようにしても良い。
【００４１】
図４に戻り、Ｓ４０４において、ユーザによって現在視聴されているコンテンツからチャンネルを変更する指示であるザッピング行為が行われているか否かが判断される。ザッピング行為が行われていないとき（Ｓ４０４：ＮＯ）は、Ｓ４１０へ移行し、ユーザが視聴しているコンテンツが継続してディスプレイ３１２に表示される。ザッピング行為が行われているとき（Ｓ４０４：ＹＥＳ）は、Ｓ４０５へ移行する。ここで、ユーザによってザッピング行為が行われているか否かの判断は、どのような基準に基づいて行っても良い。例えば、現在視聴されているチャンネルとは異なるチャンネルボタンが、所定の時間内に所定の回数押下されたとき、ユーザによってザッピング行為が行われていると判断するようにしても良い。
【００４２】
そして、Ｓ４０５の処理で、当該ザッピング行為によって選択されたチャンネルのコンテンツが表示されるのであるが、ここで表示されるのは、上述したユーザが視聴しているコンテンツ以外のコンテンツであって、当該コンテンツに対する関連コメントの数が多いコンテンツを放送している放送局の番組のみである。換言すれば、ユーザが視聴しているコンテンツ以外のコンテンツであって、当該コンテンツに対する関連コメントの数が少ないコンテンツを放送している放送局の番組はザッピング行為を行っても、ディスプレイ３１２に番組は表示されない。これにより、ユーザは、現在視聴しているコンテンツ以外で、関連コメントの数が多いコンテンツを閲覧することが可能となる。なお、この関連コメントの数が多いコンテンツの閲覧は、関連コメントの数が多いコンテンツから降順に表示されるようにしても良い。
【００４３】
Ｓ４０６において、ザッピング行為によって選択されたチャンネルのコンテンツを放送開始時刻から観る操作がされたか否かが判断される。放送開始時刻から観る操作がされないとき（Ｓ４０６：ＮＯ）は、Ｓ４０９へ移行し、当該チャンネルのコンテンツが、番組の途中から放送される。放送開始時刻から観る操作がされたとき（Ｓ４０６：ＹＥＳ）は、Ｓ４０７へ移行し、当該チャンネルのコンテンツが放送開始時刻から再生される。このとき、上述したタイムシフトバッファに格納された当該チャンネルのコンテンツが放送開始時刻から再生される。これにより、ユーザは煩雑な操作を要することなく、関連コメントの数が多い番組を視聴することができる。
【００４４】
Ｓ４０８では、コンテンツの視聴が終了したか否かが判断される。コンテンツの視聴が終了していないとき（Ｓ４０８：ＮＯ）は、Ｓ４０２の処理へ戻る。コンテンツの視聴が終了したとき（Ｓ４０８：ＹＥＳ）は、処理を終了する。
【００４５】
なお、図４のフローチャートは、画面に表示される番組が、ユーザが視聴しているチャンネル以外のチャンネルに対するtwitter（ツイッター）のつぶやき量（Tweet数）（反応コメントの数）が多い番組、すなわち、盛り上がり度が高い上位３番組を順に表示させる場合の動作にについて説明したが、時間の経過と共に、ユーザが視聴しているチャンネル以外のチャンネルで放送される番組は変化するので、図４のＳ４０２において、ユーザが視聴しているチャンネル以外のチャンネルで放送されている番組の関連コメントの数が変化したか否かを判断するようにすれば良い。このとき、関連コメントの数の変化に伴う番組の変化情報は、電子番組ガイド情報に基づいて、ＥＰＧ情報管理部３１１（図３）が番組の変化を検出するようにし、上述した関連コメント取得記録部３０９（図３）によって選択される番組が変化するようにしても良い。これにより、ユーザは煩雑な操作を要することなく、関連コメントの数が多い番組を視聴することができると共に、世の中で話題となっている番組を視聴することができる。
【００４６】
なお、ＰＣ１００自身の電源が投入されていないときは、タイムシフト機能は実行されず、ＰＣ１００自身の電源は投入されているが、ＰＣ１００の放送受信機能が起動していないときにタイムシフト機能が実行されるか否かは、どちらであっても良い。ただし、省エネ性能を重視し、２４時間継続してタイムシフト機能を実行させないことを前提として、かつ、ユーザがテレビを視聴する可能性が比較的高いタイミング、例えば、ＰＣ１００の放送受信機能が起動しているタイミングを見計らって、ＰＣ１００の放送受信機能が起動しているときのみタイムシフト機能を実行させるようにしても良い。
【００４７】
なお、図４に示した本発明の実施形態における情報処理装置（ＰＣ）１００を構成する各機能ブロックの各動作は、コンピュータ上のプログラムに実行させることもできる。すなわち、情報処理装置１００のＣＰＵ２０６が、ＲＯＭ２０２、ＲＡＭ２０３等から構成される記憶部に格納されたプログラムをロードし、プログラムの各処理ステップが順次実行されることによって行われる。
【００４８】
以上説明してきたように、本発明によれば、複数のチューナが搭載された情報処理装置であって、複数のチューナのうち、一のチューナを用いて受信される情報を出力する出力手段と、複数のチューナのうち、一のチューナを除く他の複数のチューナを用いて受信可能な複数の情報について、ネットワーク経由でサーバ装置に送信された複数の情報に関連する関連コメントの数を集計し、他の複数のチューナに受信させる複数の情報として、関連コメントの最も多いものから降順に選択する情報選択手段と、情報選択手段により選択され、他の複数のチューナを用いて受信された情報を録画する録画手段と、を含むことにより、搭載された複数のチューナを有効的に活用すると共に、ユーザの要望に適ったコンテンツのみを記憶することができるのである。
【００４９】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５０】
１０    情報処理システム
１００、２００、３００    情報処理装置
２０１    ＴＶチューナ部
２０２    ＲＯＭ
２０３    ＲＡＭ
２０４    ＨＤＤ
２０５    ネットワーク接続部
２０６    ＣＰＵ
２０７    表示部
２０８    入力部
２０９    電源部
３０１、３０２、３０３、３０４    チューナ部
３０５    コンテンツ記録再生部
３０６    動画表示処理部
３０７    映像解析処理部
３０８    関連コメント出力部
３０９    関連コメント取得記録部
３１０    ネットワーク接続処理部
３１１    ＥＰＧ情報管理部
３１２    ディスプレイ
３１３    リモコン
４００    携帯情報端末
５００    放送局
６００    ネットワーク網
７００    サーバ
【図１】
2014236333.tif 000003
【図２】
2014236333.tif 000004
【図３】
2014236333.tif 000005
【図４】
2014236333.tif 000006